(57)【要約】【課題】浴室の異常検知システムにおいて、入浴者の異常を検出した場合に、入浴者に適切な処置が施される可能性を高めることができる技術を提案する。【解決手段】浴室空調システムは、浴室空調装置と、外部のネットワークに接続可能であり、外部のネットワークを介して端末機器と通信可能な管理装置と、浴槽内に入浴者がいる場合に入浴者の存在を検知する人体検出センサと、管理装置と通信可能である制御装置と、を備えている。制御装置は、人体検出センサが検知する情報に基づいて、浴槽内に入浴者がいるか否かを判断し、入浴者が浴槽に入っている時間である入浴時間を計測し、入浴者の入浴時間が第１の所定時間以上となる場合に、入浴者の異常を示す第１の異常信号を、管理装置に送信する。管理装置は、第１の異常信号を受信する場合に、外部のネットワークを介して端末機器に入浴者の異常を示す第２の異常信号を送信する。【選択図】図４
2018081443.tif 000002
【特許請求の範囲】
【請求項１】
浴室空調装置と、
外部のネットワークに接続可能であり、前記外部のネットワークを介して端末機器と通信可能な管理装置と、
浴槽内に入浴者がいる場合に前記入浴者の存在を検知する人体検出センサと、
前記管理装置と通信可能である制御装置と、を備えており、
前記制御装置は、
前記人体検出センサが検知する情報に基づいて、前記浴槽内に前記入浴者がいるか否かを判断し、
前記入浴者が前記浴槽に入っている時間である入浴時間を計測し、
前記入浴者の前記入浴時間が第１の所定時間以上となる場合に、前記入浴者の異常を示す第１の異常信号を、前記管理装置に送信し、
前記管理装置は、前記第１の異常信号を受信する場合に、前記外部のネットワークを介して前記端末機器に前記入浴者の異常を示す第２の異常信号を送信する、
浴室の異常検知システム。
【請求項２】
前記浴室空調装置は、浴室内に送風する送風部と、前記送風部の風向きを調整可能な風向調整部を備えており、
前記制御装置は、前記入浴時間が第２の所定時間以上であると判断される場合に、前記送風部から吹き出される風が前記入浴者に当たるように前記風向調整部を動作させ、前記送風部から前記入浴者に向けて送風する、請求項１に記載の浴室の異常検知システム。
【請求項３】
浴室内に配置されており、前記制御装置と通信可能なリモコンをさらに備えており、
前記制御装置は、前記入浴時間が第３の所定時間以上であると判断される場合に、前記リモコンに、第３の異常信号を送信する、請求項１または２に記載の浴室の異常検知システム。
【請求項４】
前記人体検出センサは、前記浴室空調装置に備えられている、請求項１から３のいずれか一項に記載の浴室の異常検知システム。
【請求項５】
前記管理装置は、前記外部のネットワークを介して前記端末機器に前記第２の異常信号を送信した後に、前記外部のネットワークを介して前記端末機器から前記第２の異常信号に対する第１の応答信号を受信する場合に、前記制御装置に、前記第１の異常信号に対する第２の応答信号を送信し、
前記制御装置は、
前記管理装置に前記第１の異常信号を送信してからの経過時間を計測し、
前記経過時間が第４の所定時間を経過するまでに、前記管理装置から前記第２の応答信号を受信していないと判断する場合に、前記管理装置に、再度、前記第１の異常信号を送信する、請求項１から４のいずれか一項に記載の浴室の異常検知システム。
【発明の詳細な説明】
【技術分野】
【０００１】
本明細書に開示する技術は、浴室の異常検知システムに関する。
【背景技術】
【０００２】
特許文献１に、浴槽に入浴している入浴者の異常を検出する浴室監視装置が開示されている。特許文献１の浴室監視装置は、入浴者の動きを検知するセンサと、入浴者が浴槽に入っている時間を計測するタイマと、制御装置と、を備えている。制御装置は、タイマによって計測される時間が所定時間以上の場合に、入浴者に異常が発生したことを検出する。
【先行技術文献】
【特許文献】
【０００３】
【特許文献１】特開２００４−１８５１５０号公報
【発明の概要】
【発明が解決しようとする課題】
【０００４】
特許文献１の浴室監視装置においては、入浴者の異常が検出された場合、浴室外のスピーカから警報が出力される。この場合、例えば、入浴者以外の家屋の住人（以下では、同居人と呼ぶ）が外出していると、同居人は、スピーカから出力される警報に気づくことができない。入浴者に異常が発生した場合は、迅速で適切な処置が施される必要がある。従って、同居人が外出している場合でも、同居人に入浴者の異常を検出したことを知らせることができることが望まれる。
【０００５】
本明細書は、浴室の異常検知システムにおいて、入浴者の異常を検出した場合に、入浴者に適切な処置が施される可能性を高めることができる技術を提案する。
【課題を解決するための手段】
【０００６】
本明細書が開示する浴室の異常検知システムは、浴室空調装置と、外部のネットワークに接続可能であり、外部のネットワークを介して端末機器と通信可能な管理装置と、浴槽内に入浴者がいる場合に入浴者の存在を検知する人体検出センサと、管理装置と通信可能である制御装置と、を備えている。制御装置は、人体検出センサが検知する情報に基づいて、浴槽内に入浴者がいるか否かを判断し、入浴者が浴槽に入っている時間である入浴時間を計測する。また、制御装置は、入浴者の入浴時間が第１の所定時間以上となる場合に、入浴者の異常を示す第１の異常信号を、管理装置に送信する。管理装置は、第１の異常信号を受信する場合に、外部のネットワークを介して端末機器に入浴者の異常を示す第２の異常信号を送信する。
【０００７】
上記の構成によると、制御装置は、入浴者の入浴時間が第１の所定時間以上となる場合に、入浴者の異常を示す第１の異常信号を管理装置に送信する。そして、管理装置は、第１の異常信号を受信する場合に、入浴者の異常を示す第２の異常信号を端末機器に送信する。浴室の異常検知システムが設置されている家屋の住人が外出する場合であっても、端末機器を一緒に持ち歩いている可能性が高い。このため、例えば、浴室の異常検知システムが設置されている家屋の住人が外出している場合でも、入浴者の異常を検知したことを知らせることができる。この結果、入浴者に対して迅速で適切な処置が施される可能性を高めることができる。
【図面の簡単な説明】
【０００８】
【図１】実施例の浴室空調システムの概略構成を示す図である。
【図２】実施例の熱源機の概略構成を示す図である。
【図３】実施例の浴室空調装置の概略構成を示す図である。
【図４】実施例の浴室空調システムの制御系の主要構成を示す図である。
【図５】実施例の浴室空調システムが実行する異常検知処理のフローチャートである。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）浴室空調装置は、浴室内に送風する送風部と、送風部の風向きを調整可能な風向調整部を備えてもよい。この場合、制御装置は、入浴時間が第２の所定時間以上であると判断される場合に、送風部から吹き出される風が入浴者に当たるように風向調整部を動作させ、送風部から入浴者に向けて送風するとよい。
【００１１】
入浴が長時間に渡ると、のぼせなどの異常に陥りやすくなる。入浴中に発生する異常への対処方法として、入浴者に向かって送風することは効果的である。上記の構成によると、入浴時間が第２の所定時間以上であると判断される場合に、入浴者に向けて風が吹き出される。これにより、入浴者が異常状態に陥ることを抑制することができる。
【００１２】
（特徴２）浴室空調システムは、浴室内に配置されており、制御装置と通信可能なリモコンをさらに備えてもよい。この場合、制御装置は、入浴時間が第３の所定時間以上であると判断される場合に、リモコンに、第３の異常信号を送信するとよい。
【００１３】
上記の構成によると、入浴時間が第３の所定時間以上であると判断される場合に、リモコンに第３の異常信号が送信される。この場合、リモコンを用いて、入浴者が異常状態に陥る可能性があることを報知することができる。これにより、例えば、入浴者が異常状態に陥る前であれば、入浴者に浴槽を出るなどの行動を促すことができる。これにより、入浴者が異常状態に陥ることを抑制することができる。
【００１４】
（特徴３）人体検出センサは、浴室空調装置に備えられてよい。
【００１５】
上記の構成によると、浴室空調システムが備える浴室空調装置以外の機器の構成を簡単化することができる。
【００１６】
（特徴４）管理装置は、外部のネットワークを介して端末機器に第２の異常信号を送信した後に、外部のネットワークを介して端末機器から第２の異常信号に対する第１の応答信号を受信する場合に、制御装置に、第１の異常信号に対する第２の応答信号を送信してもよい。また、制御装置は、管理装置に第１の異常信号を送信してからの経過時間を計測してもよい。この場合、制御装置は、経過時間が第４の所定時間を経過するまでに、管理装置から第２の応答信号を受信していないと判断する場合に、管理装置に、再度、第１の異常信号を送信するとよい。
【００１７】
管理装置が端末機器から第１の応答信号を受信していない場合、管理装置から制御装置に第２の応答信号は送信されない。この場合、入浴者以外の家屋の住人が、第２の異常信号を受信したことに気づいていない可能性が高い。従って、入浴者に対して適切な処置が施されていない可能性が高い。制御装置が、管理装置に第１の異常信号を再度送信すると、管理装置から端末機器に、第２の異常信号が再度送信される。このため、入浴者の異常に対して適切な処置を施すように、再度、促すことができる。これにより、入浴者に対して適切な処置が施される可能性を高めることができる。
【実施例】
【００１８】
実施例に係る浴室空調システム１について説明する。図１に示すように、浴室空調システム１は、熱源機２と、浴室空調装置４と、浴室リモコン６と、を備えている。浴室空調装置４は、浴室空調システム１が設置される家屋の浴室８の天井に設置されている。浴室リモコン６は、浴室８の壁面に設置されている。浴室リモコン６は、ユーザからの各種の操作入力を受け入れる。また、浴室リモコン６は、表示や音声によってユーザに各種の情報を通知する。浴室８は、洗場領域８ａと、入浴領域８ｂと、で構成されている。入浴領域８ｂには、浴槽１０が設置されている。熱源機２は、浴室空調システム１が設置される家屋の屋外に設置されている。熱源機２は、往き管４１および戻り管４２によって、浴室空調装置４に接続されている。
【００１９】
図２を用いて、熱源機２について説明する。図２に示すように、熱源機２は、熱媒用バーナ３２と、熱媒循環ポンプ５０と、シスターン３４を備えている。シスターン３４内の水（熱媒）は、低温熱媒管路３６を通じて、熱媒用バーナ３２に送られる。熱媒用バーナ３２は、可燃性ガスを燃焼し、その燃焼熱によって水を加熱する。熱媒用バーナ３２の内部には、吸熱フィン３２ａが設けられている。吸熱フィン３２ａは、水が流れる管路に固定されており、燃焼熱を吸収して水へ伝達する。熱媒循環ポンプ５０は、低温熱媒管路３６上に設けられており、水の循環経路に沿って水を循環させる。なお、熱媒循環ポンプ５０の位置は、水の循環経路上であればよく、特に限定されない。
【００２０】
熱源機２は、水の温度を測定する低温熱媒温度センサ３８と、高温熱媒温度センサ５２を備える。低温熱媒温度センサ３８は、低温熱媒管路３６に配置されており、熱媒用バーナ３２による加熱前の水の温度を測定する。高温熱媒温度センサ５２は、高温熱媒管路５４に配置されており、熱媒用バーナ３２による加熱後の水の温度を測定する。
【００２１】
熱源機２は、低温暖房往路８０と高温暖房往路８２を備えている。低温暖房往路８０は、低温熱媒管路３６に接続されている。高温暖房往路８２は、高温熱媒管路５４に接続されている。低温暖房往路８０は、低温暖房端末７０へ水を送る。高温暖房往路８２は、高温暖房端末７２へ水を送る。低温暖房往路８０には、低温熱媒バルブ８４が設けられており、低温暖房端末７０へ水が選択的に供給される。高温暖房往路８２には、高温熱媒バルブ８６が設けられており、高温暖房端末７２へ水が選択的に供給される。低温暖房端末７０と高温暖房端末７２は、水の熱を放熱することによって暖房や乾燥を行う。低温暖房端末７０は、例えば床暖房パネルである。本実施例の高温暖房端末７２は、上記の浴室空調装置４である。低温暖房端末７０と高温暖房端末７２で放熱した水は、暖房復路６２を通ってシスターン３４へ送られる。
【００２２】
上述した高温暖房往路８２は、本明細書において往き管４１と称される場合がある。往き管４１（高温暖房往路８２）は、後述する浴室空調装置４の入水管４４に接続される予定の管である。また、上述した暖房復路６２は、本明細書において戻り管４２と称される場合がある。戻り管４２（暖房復路６２）は、後述する浴室空調装置４の出水管４５に接続される予定の管である。熱源機２は、さらに、熱源機２の各構成要素の動作を制御する熱源機コントローラ１００を備えている。
【００２３】
次に、浴室空調装置４について説明する。図１に示すように、浴室空調装置４は、往き管４１（上述した熱源機２の高温暖房往路８２）と戻り管４２（上述した熱源機２の暖房復路６２）を介して熱源機２に接続されている。往き管４１は、上述した熱源機２によって加熱された水（暖房用水）を浴室空調装置４に送る。戻り管４２は、浴室空調装置４で熱交換された水を熱源機２に戻す。なお、本実施例では水（暖房用水）を熱媒としているが、これに限定されるものではなく、熱源機２の種類に応じて異なる熱媒が使用されてもよい。
【００２４】
図３に示すように、浴室空調装置４は、浴室８内の空調を行う機器である。例えば、浴室空調装置４は、浴室８内の暖房、乾燥、および、浴室８内への送風を行う。浴室空調装置４は、暖房運転モード、乾燥運転モード、および送風運転モードで動作可能である。浴室空調装置４は、入水管４４と出水管４５を備えている。また、浴室空調装置４は、気液熱交換器９１と循環ファン９４と湯温サーミスタ９２と換気ファン９８を備えている。また、浴室空調装置４は、赤外線センサ９６を備えている。赤外線センサ９６は、浴室８に向けて設置されている。具体的には、赤外線センサ９６は、ユーザが浴槽１０に入浴している場合に、ユーザの頭部温度を検出することができる。ユーザが浴槽１０に入浴していない場合に、赤外線センサ９６は、浴槽１０の壁面の温度などを検出する。
【００２５】
入水管４４は、往き管４１が接続される管である。入水管４４の一端に往き管４１が接続される。往き管４１によって浴室空調装置４に送られた水が入水管４４に流入する。熱源機２によって加熱された水が往き管４１によって入水管４４に送られる。
【００２６】
出水管４５は、戻り管４２が接続される管である。出水管４５の一端に戻り管４２が接続される。出水管４５を流れた水が戻り管４２に流出する。出水管４５には、流量制御弁９３が設けられている。流量制御弁９３は、入水管４４と出水管４５を流れる水の流量を制御する。流量制御弁９３の開度を調整することによって入水管４４および出水管４５を流れる水の流量を調整できる。
【００２７】
また、入水管４４の他端と出水管４５の他端は、気液熱交換器９１に接続されている。入水管４４は、往き管４１によって送られた水を気液熱交換器９１に送る管である。入水管４４から気液熱交換器９１に水が流入する。熱源機２によって加熱された水が入水管４４によって気液熱交換器９１に送られる。出水管４５は、気液熱交換器９１で熱交換された水を戻り管４２に戻す管である。気液熱交換器９１から出水管４５に水が流出し、出水管４５から戻り管４２に水が流出する。
【００２８】
気液熱交換器９１は、例えば、温水コイルである。気液熱交換器９１は、加熱された水と空気の熱交換によって空気を加熱する。気液熱交換器９１は、熱源機２によって加熱されて気液熱交換器９１に送られた水の熱によって、浴室８内に送る空気を加熱する。気液熱交換器９１内を水が流れる過程で熱交換が行われる。
【００２９】
循環ファン９４は、気液熱交換器９１に隣接して配置されている。循環ファン９４は、モーター９４ａによって駆動される。循環ファン９４は、回転することによって空気を送風する。循環ファン９４は、浴室８内の空気を気液熱交換器９１に送るとともに、気液熱交換器９１によって加熱された空気を浴室８内に送る。すなわち、循環ファン９４は、浴室８内の空気を気液熱交換器９１との間で循環させる。循環ファン９４と対向する位置に可変ルーバー９７が配置されている。可変ルーバー９７は、循環ファン９４によって浴室８内に送風される空気の風向を変更可能である。可変ルーバー９７は、モーター９７ａによって駆動される。
【００３０】
湯温サーミスタ９２は、入水管４４に設けられている。湯温サーミスタ９２は、入水管４４を流れる水の温度を検知する。湯温サーミスタ９２は、熱源機２によって加熱された後の水であって気液熱交換器９１で熱交換される前の水の温度を検知する。
【００３１】
換気ファン９８は、モーター９８ａによって駆動される。換気ファン９８は、回転することによって浴室８内の空気を換気する。換気ファン９８は、浴室８内の湿った空気を浴室８外に排気する。浴室空調装置４の乾燥運転モードでは、換気ファン９８が動作して浴室８内の空気を換気する。また、浴室空調装置４の暖房運転モードおよび送風運転モードでは、換気ファン９８が動作しない。
【００３２】
また、浴室空調装置４が暖房運転モードで動作している場合、熱源機２は動作中である。一方、浴室空調装置４が送風運転モードで動作している場合、熱源機２の動作は停止している。浴室空調装置４は、さらに浴室空調装置４の各種の構成要素の動作を制御する空調コントローラ１１０を備えている。
【００３３】
次に、図４を用いて、本実施例の浴室空調システム１の制御系の主要構成について説明する。図４に示すように、浴室空調システム１は、浴室空調装置４の各種の構成要素の動作を制御する空調コントローラ１１０と、熱源機２の各種の構成要素の動作を制御する熱源機コントローラ１００と、浴室リモコン６と、浴室外リモコン１３０と、を備えている。空調コントローラ１１０は、不揮発性メモリ１１２と、第１のタイマ１１４と、第２のタイマ１１６と、を備えている。不揮発性メモリ１１２には、後述する異常検知処理で用いられる第１の基準時間Ｔ１〜第４の基準時間Ｔ４などが記憶されている。空調コントローラ１１０と熱源機コントローラ１００は、互いに通信可能である。従って、空調コントローラ１１０と熱源機コントローラ１００が協調して制御を行うことで、浴室空調システム１の各種の動作を行うことができる。以下では、空調コントローラ１１０および熱源機コントローラ１００を総称して、単にコントローラとも呼ぶ。
【００３４】
空調コントローラ１１０および熱源機コントローラ１００は、浴室リモコン６および浴室外リモコン１３０と通信可能である。浴室外リモコン１３０は、浴室空調システム１が設置されている家屋の浴室以外の部屋（例えば、台所など）に設置されている。浴室外リモコン１３０は、浴室空調装置４の操作など、ユーザからの各種の操作入力を受け入れる。また、浴室外リモコン１３０は、表示や音声によってユーザに各種の情報を通知する。
【００３５】
浴室リモコン６および浴室外リモコン１３０は、無線ＬＡＮルータ１４０を介して、管理装置１４２と通信可能に接続されている。管理装置１４２は、例えば、ＨＥＭＳ（Home Energy Management System）コントローラである。管理装置１４２は、浴室空調システム１が設置されている家屋内に設けられている機器である。管理装置１４２は、浴室空調システム１が設置されている家屋における電力および燃料の供給量や消費量などを管理している。また、管理装置１４２は、外部のネットワーク２００と接続可能である。このため、管理装置１４２は、外部のネットワーク２００を介して、浴室空調システム１の外部の機器に情報を送信することができる。本実施例では、管理装置１４２は、外部のネットワーク２００を介して、端末機器２０２に情報を送信することができる。端末機器２０２は、例えば、携帯電話、スマートフォンなどである。また、端末機器２０２は、浴室空調システム１が設置されている家屋の住人の所有物である。管理装置１４２には、後述する異常検知処理で異常を検知したことを示す異常情報の送付先を登録することができる。異常情報の送付先とは、例えば、端末機器２０２のメールアドレスなどである。管理装置１４２は、外部のネットワーク２００を介して、指定されたメールアドレスに異常情報を送信することができる。
【００３６】
（異常検知処理）
次に、図５を用いて、浴室空調システム１のコントローラが実行する異常検知処理について説明する。異常検知処理は、ユーザが浴槽１０に入浴している間に実行される処理である。
【００３７】
ステップＳ２において、コントローラは、ユーザが浴槽１０に浸かっているのか否かを監視する。具体的には、コントローラは、赤外線センサ９６の検出結果を用いて、ユーザが浴槽１０に浸かっているのか否かを判断する。ユーザが浴槽１０に浸かっていると判断される場合（ステップＳ２でＹＥＳ）、処理は、ステップＳ４に進む。一方、ユーザが浴槽１０に浸かっていないと判断される場合（ステップＳ２でＮＯ）、コントローラは、異常検知処理を終了する。また、異常検知処理を実行している間に、ユーザが浴槽１０から出たと判断される場合も、コントローラは、異常検知処理を終了する。
【００３８】
ステップＳ４において、コントローラは、第１のタイマ１１４の計時を開始する。すなわち、コントローラは、ユーザ（以下では、入浴者と呼ぶ）の入浴時間ＴＢの計時を開始する。
【００３９】
ステップＳ６において、コントローラは、入浴者の入浴時間ＴＢが第１の基準時間Ｔ１を経過することを監視する。入浴時間ＴＢが第１の基準時間Ｔ１を経過すると、コントローラは、ステップＳ８に進む。なお、入浴時間ＴＢが第１の基準時間Ｔ１を経過する場合とは、入浴者がのぼせなどの異常状態に陥る可能性がある場合である。
【００４０】
ステップＳ８において、コントローラは、浴室空調装置４を送風運転モードで動作させることを報知する。具体的には、コントローラは、浴室リモコン６に、浴室空調装置４を送風運転モードで動作させることを示す第１の制御信号を送信する。当該信号を受信すると、浴室リモコン６は、浴室空調装置４を送風運転モードで動作させることを報知する。これにより、入浴者は、送風運転モードが開始されることを知ることができる。
【００４１】
ステップＳ１０において、コントローラは、浴室リモコン６に第１の制御信号を送信してから所定時間が経過するまでに、第１のリモコン信号を受信したのか否かを判断する。第１のリモコン信号は、入浴者が、浴室空調装置４の送風運転モードの動作を不要と判断される場合に送信される信号である。ステップＳ８の後に、入浴者が浴室リモコン６を操作することで、浴室リモコン６からコントローラに第１のリモコン信号が送信される。所定時間内に第１のリモコン信号を受信したと判断される場合（ステップＳ１０でＹＥＳ）、処理は、ステップＳ１２をスキップして、ステップＳ１４に進む。一方、所定時間内に第１のリモコン信号を受信していないと判断される場合（ステップＳ１０でＮＯ）、処理は、ステップＳ１２に進む。
【００４２】
ステップＳ１２において、コントローラは、送風運転モードを開始する。具体的には、コントローラは、可変ルーバー９７を駆動させ、赤外線センサ９６の検出結果を用いて、循環ファン９４によって送風される空気の風向きをユーザの頭部に向ける。また、コントローラは、熱源機２が動作している場合は、熱源機２の動作を停止させる。次いで、コントローラは、循環ファン９４を駆動させる。熱源機２の動作が停止されているため、熱源機２から浴室空調装置４に加熱された水が供給されない。従って、浴室空調装置４から、ユーザの頭部に向かって涼風が送風される。これにより、ユーザが異常状態に陥ることを抑制することができる。
【００４３】
ステップＳ１４において、コントローラは、入浴時間ＴＢが第２の基準時間Ｔ２を経過することを監視する。入浴時間ＴＢが第２の基準時間Ｔ２を経過すると、コントローラは、ステップＳ１６に進む。第２の基準時間Ｔ２は、第１の基準時間Ｔ１よりも長い時間が設定されている。
【００４４】
ステップＳ１６において、コントローラは、後述するステップＳ２２の緊急通報を実行することを報知する。具体的には、コントローラは、浴室リモコン６に、緊急通報を実行することを示す第２の制御信号を送信する。当該信号を受信すると、浴室リモコン６は、緊急通報を実行することを報知する。
【００４５】
ステップＳ１８において、コントローラは、第２のリモコン信号を受信したのか否かを判断する。第２のリモコン信号は、入浴者が、緊急通報を不要と判断した場合に送信される信号である。ステップＳ１６の後に、入浴者が浴室リモコン６を操作することで、浴室リモコン６からコントローラに第２のリモコン信号が送信される。すなわち、入浴者が気を失っていない場合などに、第２のリモコン信号は送信される。第２のリモコン信号を受信していないと判断される場合（ステップＳ１８でＮＯ）、処理は、ステップＳ２０に進む。一方、第２のリモコン信号を受信したと判断される場合（ステップＳ１８でＹＥＳ）、異常検知処理は終了する。なお、この場合、入浴者は、浴室リモコン６を操作した後に、浴室８から出ることが好ましい。
【００４６】
ステップＳ２０において、コントローラは、入浴時間ＴＢが第３の基準時間Ｔ３を経過したか否かを判断する。入浴時間ＴＢが第３の基準時間Ｔ３を経過したと判断される場合（ステップＳ２０でＹＥＳ）、コントローラは、ステップＳ２２に進む。第３の基準時間Ｔ３は、第２の基準時間Ｔ２よりも長い時間が設定されている。入浴時間ＴＢが第３の基準時間Ｔ３を超えている場合、入浴者が異常状態に陥っている可能性が高い。一方、入浴時間ＴＢが第３の基準時間Ｔ３を経過していないと判断される場合（ステップＳ２０でＮＯ）、処理は、ステップＳ１８に戻る。すなわち、コントローラは、入浴時間ＴＢが第３の基準時間Ｔ３を経過するまで、第２のリモコン信号の受信を監視する。
【００４７】
ステップＳ２２において、コントローラは、緊急通報を実行する。具体的には、コントローラは、浴室リモコン６および無線ＬＡＮルータ１４０を介して、管理装置１４２に、入浴者の異常を検知したことを示す第３の制御信号を送信する。上述のように、管理装置１４２は、外部のネットワーク２００に接続することができる。このため、管理装置１４２は、第３の制御信号を受信すると、外部のネットワーク２００を介して、管理装置１４２に登録されている送付先に、入浴者の異常を示す第１の管理信号を送信する。これにより、入浴者以外の家屋の住人（以下では、同居人と呼ぶ）の端末機器２０２に第１の管理信号が送信される。同居人は、端末機器２０２に送信された第１の管理信号に基づく異常情報を確認することで、入浴者が異常状態に陥っていることを知ることができる。また、ステップＳ２２において、コントローラは、第２のタイマ１１６を駆動する。これにより、第３の制御信号が送信されてからの経過時間ＴＰの計時が開始される。
【００４８】
ステップＳ２４において、コントローラは、第２の管理信号を受信したのか否かを判断する。第２の管理信号は、管理装置１４２からコントローラに送信される。管理装置１４２は、同居人が端末機器２０２に送信された異常情報を確認したことを示す端末信号を端末機器２０２から受信する場合に、第２の管理信号をコントローラに送信する。すなわち、異常情報を受信した後に、同居人が、端末機器２０２を操作することによって、端末機器２０２から管理装置１４２に端末信号が送信され、その後に、管理装置１４２からコントローラに第２の管理信号が送信される。第２の管理信号を受信したと判断される場合（ステップＳ２４でＹＥＳ）、異常検知処理は終了する。異常情報を確認した同居人によって、何らかの処置が施されることが期待されるためである。一方、第２の管理信号を受信していないと判断される場合（ステップＳ２４でＮＯ）、処理は、ステップＳ２６に進む。
【００４９】
ステップＳ２６において、コントローラは、第３の制御信号を送信してからの経過時間ＴＰが第４の基準時間Ｔ４を経過したか否かを判断する。経過時間ＴＰが第４の基準時間を経過していないと判断される場合（ステップＳ２６でＮＯ）、処理は、ステップＳ２４に戻る。すなわち、コントローラは、経過時間ＴＰが第４の基準時間Ｔ４を経過するまで、第２の管理信号の受信を監視する。
【００５０】
一方、経過時間ＴＰが第４の基準時間Ｔ４を経過したと判断される場合（ステップＳ２６でＹＥＳ）、処理は、ステップＳ２２に戻る。この場合、コントローラは、第２の管理信号を受信していない。従って、端末機器２０２に送信されている異常情報を、同居人が見落としている可能性が高い。このため、コントローラは、管理装置１４２に、再度、第３の制御信号を送信する。これにより、管理装置１４２から、同居人の端末機器２０２に、再度、第１の管理信号が送信される。この結果、同居人が、入浴者が異常に陥ったことに気付く可能性を高めることができる。また、第３の制御信号を送信した後、コントローラは、第２のタイマ１１６をリセットし、第２のタイマ１１６の計時を再開する。これにより、コントローラは、ステップＳ２４でＹＥＳと判定されるまで、第４の基準時間Ｔ４毎に、第３の制御信号を管理装置１４２に送信する。
【００５１】
上述のように、第１のタイマ１１４によって計時される入浴時間ＴＢが第３の基準時間Ｔ３を経過したと判断される場合、コントローラは、入浴者の異常を示す第３の制御信号を管理装置１４２に送信する。そして、管理装置１４２は、外部のネットワーク２００を介して、管理装置１４２に登録されている異常情報の送付先に、入浴者の異常を示す第１の管理を送信する。これにより、同居人の端末機器２０２に、異常情報を送信することができる。同居人が外出している場合であっても、端末機器２０２を一緒に持ち歩いている可能性が高い。このため、同居人が外出している場合でも、端末機器２０２に第１の管理信号が送信されることで、同居人は入浴者の異常を知ることができる。この結果、入浴者が異常状態に陥った場合において、入浴者に適切な処置が施される可能性を高めることができる。
【００５２】
また、上記の実施例では、コントローラは、入浴時間ＴＢが第２の基準時間Ｔ２を経過したと判断される場合に、送風運転モードを実行し、入浴者に向かって送風している。長時間に渡る入浴中に発生する異常への対処方法として、入浴者に向かって送風することは効果的である。従って、入浴者に向かって送風することで、入浴者が異常状態に陥ることを抑制することができる。
【００５３】
また、上記の実施例では、コントローラは、入浴時間ＴＢが第２の基準時間Ｔ２を経過したと判断される場合に、浴室リモコン６に、入浴者の異常を示す第２の制御信号を送信している。第２の制御信号を受信すると、浴室リモコン６は、異常に陥る危険があることを、入浴者に報知する。これにより、入浴者は、入浴を継続すると、異常状態に陥る危険性があることを知ることができる。
【００５４】
また、上記の実施例では、浴室空調装置４は、赤外線センサ９６を備えている。このため、浴室空調システム１が備える浴室空調装置４以外の機器の構成を簡単化することができる。
【００５５】
また、上記の実施例では、コントローラは、管理装置１４２に第３の制御信号を送信してから第４の基準時間Ｔ４が経過するまでに、第２の管理信号を受信しない場合に、管理装置１４２に、再度、第３の制御信号を送信する。第２の管理信号を受信していない場合、第１の管理信号に基づく異常情報が端末機器２０２に送信されていることを、同居人が見落としている可能性が高い。従って、異常に陥っている入浴者に対して適切な処置が施されていない可能性が高い。コントローラが、管理装置１４２に第３の制御信号を再度送信すると、管理装置１４２から端末機器２０２に第１の管理信号が再度送信される。これにより、入浴者の異常に対して適切な処置を施すことを、再度、促すことができる。この結果、入浴者に対して適切な処置が施される可能性を高めることができる。
【００５６】
（対応関係）
浴室空調システム１、無線ＬＡＮルータ１４０、及び、管理装置１４２を含むシステムが、「浴室の異常検知システム」の一例である。赤外線センサ９６が、「人体検出センサ」の一例である。空調コントローラ１１０が、「制御装置」の一例である。第３の基準時間Ｔ３が、「第１の所定時間」の一例である。第１の基準時間Ｔ１が、「第２の所定時間」の一例である。第２の基準時間Ｔ２が、「第３の所定時間」の一例である。第４の基準時間Ｔ４が、「第４の所定時間」の一例である。第３の制御信号、第１の管理信号が、それぞれ、「第１の異常信号」、「第２の異常信号」の一例である。端末信号、第２の管理信号が、それぞれ、「第１の応答信号」、「第２の応答信号」の一例である。第２の制御信号が、「第３の異常信号」の一例である。循環ファン９４、可変ルーバー９７が、それぞれ、「送風部」、「風向調整部」の一例である。浴室リモコン６が、「リモコン」の一例である。
【００５７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００５８】
上記の実施例では、第１の基準時間Ｔ１〜第３の基準時間Ｔ３は、それぞれ、異なる時間が設定されている。しかしながら、第１の基準時間〜第３の基準時間Ｔ３の関係は、上記の関係に限定されない。例えば、第１の基準時間Ｔ１〜第３の基準時間Ｔ３に同じ時間が設定されていてもよい。
【００５９】
上記の実施例では、図４のステップＳ２６でＹＥＳと判断された場合のステップＳ２２において、前回の送付先と同じ送付先に、異常情報を送信している。これに代えて、管理装置１４２に複数の送付先が登録されている場合は、異常情報の送付先を変更してもよい。
【００６０】
上記の実施例では、熱源機２として、ガス熱源のみを用いる熱源機２が使用されている。これに代えて、ヒートポンプ熱源のみを用いる熱源機、または、ガス熱源とヒートポンプ熱源を用いる熱源機が使用されてもよい。
【００６１】
上記の実施例では、コントローラは、入浴者の入浴時間ＴＢを用いて、第１〜第３の制御信号を送信するか否かを判断している。これに加えて、赤外線センサ９６が検出する入浴者の頭部温度を用いて、第１〜第３の制御信号を送信するか否かを判断するように構成してもよい。例えば、入浴直後の入浴者の頭部温度に対して、第１の基準時間経過後の入浴者の頭部温度が、所定温度以上上昇している場合に、第１の制御信号を送信するなどである。第２および第３の制御信号の送信についても同様である。また、例えば、入浴直後の入浴者の頭部温度から上昇した温度に基づいて、入浴時間ＴＢを特定してもよい。
【００６２】
上記の実施例では、赤外線センサ９６を用いて、ユーザが浴槽１０に入浴しているのか否かを判断している。これに代えて、超音波センサ、マイクロ波センサなどを用いて、ユーザが浴槽１０に入浴しているのか否かを判断してもよい。
【００６３】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６４】
１      ：浴室空調システム
２      ：熱源機
４      ：浴室空調装置
６      ：浴室リモコン
８      ：浴室
８ａ    ：洗場領域
８ｂ    ：入浴領域
１０    ：浴槽
３２    ：熱媒用バーナ
３２ａ  ：吸熱フィン
３４    ：シスターン
３６    ：低温熱媒管路
３８    ：低温熱媒温度センサ
４１    ：往き管
４２    ：戻り管
４４    ：入水管
４５    ：出水管
５０    ：熱媒循環ポンプ
５２    ：高温熱媒温度センサ
５４    ：高温熱媒管路
６２    ：暖房復路
７０    ：低温暖房端末
７２    ：高温暖房端末
８０    ：低温暖房往路
８２    ：高温暖房往路
８４    ：低温熱媒バルブ
８６    ：高温熱媒バルブ
９１    ：気液熱交換器
９２    ：湯温サーミスタ
９３    ：流量制御弁
９４    ：循環ファン
９４ａ  ：モーター
９６    ：赤外線センサ
９７    ：可変ルーバー
９７ａ  ：モーター
９８    ：換気ファン
９８ａ  ：モーター
１００  ：熱源機コントローラ
１１０  ：空調コントローラ
１１２  ：不揮発性メモリ
１１４  ：第１のタイマ
１１６  ：第２のタイマ
１３０  ：浴室外リモコン
１４０  ：無線ＬＡＮルータ
１４２  ：管理装置
２００  ：ネットワーク
２０２  ：端末機器
【図１】
2018081443.tif 000003
【図２】
2018081443.tif 000004
【図３】
2018081443.tif 000005
【図４】
2018081443.tif 000006
【図５】
2018081443.tif 000007